(57)【特許請求の範囲】
【請求項１】
第１および第２のケーシング部を備えたケーブル接続封止具であって、
第１および第２のケーシング部の対向する縁部が当接して封止具を閉じ、
一連の突起部が第１のケーシング部の外側表面に縁部に隣接して配置され、
一連の孔が第２のケーシング部の延長壁に縁部に隣接して配設され、
封止具を閉じているとき、第２のケーシング部の延長壁が第１のケーシング部の外側表面の上に重なり合い、各突起部が対応する孔に弾性的に係入するケーブル接続封止具であって、
これらのケーシング部を合体させるように力を加えて突起部をそれぞれの孔に係入させ、そして／あるいはこれらのケーシング部を離間させるように力を加えて突起部をそれぞれの孔から離脱させる梃子棒を受容するための複数の開口部が、第２のケーシング部の延長壁に設けられ、
各開口部が延長壁の外側表面から内側表面まで貫通することにより、梃子棒を延長壁の外側表面から開口部を介して挿入し、第１のケーシング部の外側表面と係合させ、これにより第１および第２のケーシング部を合体するように力を加えることを可能にすることを特徴とする封止具。
【請求項２】
請求項１に記載の封止具であって、
第１のケーシング部の外側表面は、第１および第２のケーシング部を合体するように力を加えるときに、開口部に挿入された梃子棒と係合するように構成された少なくとも１つの肩部を有することを特徴とする封止具。
【請求項３】
第１および第２のケーシング部を備えたケーブル接続封止具であって、
第１および第２のケーシング部の対向する縁部が当接して封止具を閉じ、
一連の突起部が第１のケーシング部の外側表面に縁部に隣接して配置され、
一連の孔が第２のケーシング部の延長壁に縁部に隣接して配設され、
封止具を閉じているとき、第２のケーシング部の延長壁が第１のケーシング部の外側表面の上に重なり合い、各突起部が対応する孔に弾性的に係入するケーブル接続封止具であって、
これらのケーシング部を合体させるように力を加えて突起部をそれぞれの孔に係入させ、そして／あるいはこれらのケーシング部を離間させるように力を加えて突起部をそれぞれの孔から離脱させる梃子棒を受容するための複数の開口部が、第２のケーシング部の延長壁に設けられ、
延長壁の前端部において開口した延長壁の内側表面の凹部を有し、これにより突起部がそれぞれの孔に係入しているときに、突起部をそれぞれの孔から離脱させるために、延長壁と第１のケーシング部の外側表面の間に梃子棒を挿入することを可能にしたことを特徴とする封止具。
【請求項４】
請求項１〜３のいずれか１に記載の封止具であって、
各開口部は、延長壁のそれぞれの孔と延長壁の前端部との間に配置されていることを特徴とする封止具。
【請求項５】
請求項１〜４のいずれか１に記載の封止具であって、
各開口部は、延長壁の孔のそれぞれの組の間に配置されていることを特徴とする封止具。
【請求項６】
請求項１〜４のいずれか１に記載の封止具であって、
第１および第２のケーシング部は、互いに対して完全に分離できることを特徴とする封止具。
【請求項７】
請求項６に記載の封止具であって、
各突起部がそれぞれの孔に係入しているとき、ケーブルが封止具内で延びる方向と実質的に平行な方向に延びる、対向する２組の縁部を有することを特徴とする封止具。
【請求項８】
請求項１〜５のいずれか１に記載の封止具であって、
第１および第２のケーシング部は、一体にヒンジ連結されていることを特徴とする封止具。
【請求項９】
請求項８に記載の封止具であって、
対向する縁部の一方の組のみを有し、
この一方の組の縁部は、各突起部がそれぞれの孔に係入しているとき、ケーブルが封止具内で延びる方向と実質的に平行な方向に延びることを特徴とする封止具。
【請求項１０】
請求項１〜９のいずれか１に記載の封止具であって、
第１および第２のケーシング部は、半殻からなることを特徴とする封止具。
【請求項１１】
請求項１〜１０のいずれか１に記載の封止具であって、
対向する縁部は、突起部と孔の係入が解除されたとき、２つのケーシング部に力を加えることにより封止具を開くことを支援する、少なくとも１つの弾性を有するシール部材を用いて封止されることを特徴とする封止具。
【発明の詳細な説明】
技術分野
本発明は、例えば遠隔通信用ケーブルなどのケーブル接続封止具に関する。
背景技術
米国特許第4,771,975号および同第4,492,812号には、ケーシング半殻の対向する縁部に沿って配設された係入突起部および孔を用いて、ケーシング半殻を合体させて固定するケーブル接続封止具が開示されている。一般に、これらの２つの特許に開示されたケーブル接続封止具には、開いたり、閉じたりすることが困難であるという問題点がある。
発明の開示
本発明によれば、第１および第２のケーシング部を備えたケーブル接続封止具が提供される。この封止具において、第１および第２のケーシング部の対向する縁部が当接して封止具を閉じる。一連の突起部が第１のケーシング部の外側表面に沿って縁部に隣接して配置されている。一連の孔が第２のケーシング部の延長壁に縁部に隣接して配設されている。封止具を閉じるとき、第２のケーシング部の延長壁が第１のケーシング部の外側表面の上に重なり合うことにより、各突起部が対応する孔に弾性的に係入する。突起部をそれぞれの孔に係入させるためにこれらのケーシング部を合体するように力を加え、そして／あるいは突起部と孔のそれぞれの係入を解除するためにこれらのケーシング部を離間するように力を加える梃子棒を受容するための複数の開口部が、第２のケーシング部の延長壁に設けられている。
本発明に係るケーブル接続封止具は、一般に、第２のケーシング部の延長壁に開口部を有しており、梃子棒（例えばスクリュドライバなど）を用いてこれらのケーシング部に力を加えて、合体または分離させることができるので、より容易に開けたり、閉めたりすることができる。既知の封止具は、こうした利点を有さず、通常、道具を用いることなく、手作業で開けたり閉めたりする必要がある。
本発明の好適な実施形態において、各開口部が延長壁の外側表面から内側表面まで貫通しており、梃子棒を延長壁の外側表面から開口部を介して挿入し、梃子棒を第１のケーシング部の外側表面と係合させ、これにより第１および第２のケーシング部を合体するように力を加えることを可能にする。好適には、第１のケーシング部の外側表面は、第１および第２のケーシング部を合体するように力を加えるときに開口部に受容された梃子棒と係合するように構成された少なくとも１つの肩部を有する。
追加的にまたは択一的には、各開口部は延長壁の前端部において開口した延長壁の内側表面の凹部を有し、その結果、使用中に突起部とそれぞれの孔とが係入しているときに、突起部とそれぞれの孔の係入を解除するために、延長壁と第１のケーシング部の外側表面の間に梃子棒を挿入することができる。
好適には、延長壁の開口部は、壁に沿って連続して配置されている。好適にも、各開口部は、例えば対応する受容孔または対応する受容孔の対と関連付けられている。好適には、各開口部は、それぞれ延長壁の少なくとも１つの孔と延長壁の前端部の間に配置されている。追加的にまたは択一的には、各開口部は、延長壁の対応する１組の孔の間に配置してもよい。
第１および第２のケーシング部は、好適には半殻からなる。いくつかの実施形態においては、第１および第２のケーシング部は、互いに対して完全に分離でき、使用中においてケーブルが封止具内で延びる方向とは実質的に平行な方向に延びる、対向する２組の縁部を有する。他の実施形態では、第１および第２のケーシング部は、一体にヒンジ連結されており、すなわち対向する縁部の一方の組のみ有し、この一方の組の縁部は、ケーブルが封止具内で延びる方向とは実質的に平行な方向に延びている。これらのケーシング部は、好適には、ポリエチレンまたはポリプロピレンなどのポリマで形成されている。
好適には、対向する縁部は、少なくとも１つの封止部材を用いて封止されている。封止部材は、好適には、弾性を有し、例えば低い圧縮永久歪みを有する。封止部材を構成する材料の圧縮永久歪みは、ＩＳＯ８１５に準拠して測定すると、すなわち７０℃で２２時間、５０％の圧縮歪みを加えた後、３０分間の復元時間後に測定すると、好適には４０％以下、より好適には３０％以下である。
このような好ましいシール部材の弾性と低い圧縮永久歪みにより、長期間において良好な封止を維持することができる。さらに、突起部と孔の互いに対する係入が解除されたとき２つのケーシング部を離間させるように押すことにより、封止具を開きやすくなるという利点が得られる。
シール部材は、中空の、例えば通常チューブ状であり、そして／または発泡剤で形成されていることが好ましい。このシール部材の素材は、例えばエラストマーなどのポリマであることが好ましい。特に好ましい素材は、例えばシリコーン樹脂ないしＥＰＤＭゴムなどの合成ゴムまたは天然ゴムである。
以後、添付図面を参照しながら本発明の実施の形態を詳述する。
【図面の簡単な説明】
図１は、本発明による封止具のケーシング部を互いに離間した状態で示す図。
図２は、図１の封止具のケーシング部を互いに閉じた状態で示す図。
図３は、図１のケーシング部を底から見た図。
図４は、図１から図３に示したケーシング部の一方を示す図。
発明を実施するための最良の形態
図１は、本発明に係るケーブル接続封止具を示し、この封止具は、第１および第２のケーシング部１，３を備え、各ケーシング部は、半殻状の形態を有する。この封止具は、２組の互いに対向する（長手方向の）縁部５，５’を有し、これらの縁部を互いに当接させて（図２に示すように）封止具を閉じることができる。第１のケーシング部は、その外側に沿って各縁部５に隣接して延在する一連の傾斜台状または楔形状の突起部７を有する。第２のケーシング部３は、２つの延長壁９を有し、それぞれの延長壁９は、対応する縁部５’に隣接し、第１のケーシング部１に向かって延びている。各延長壁９は、一連の孔１１を有する。図２に示すように封止具が閉じているとき、対向する縁部５，５’の各組は当接し、各延長壁９は封止具の外側に重なり合い、傾斜台状または楔形状の突起部７は対応する孔１１に係合する。
各延長壁９は、その外側表面から内側表面まで貫通する一連の開口部１３を有する。図４に最も明確に図示されているが、各開口部１３は、延長壁９の内側表面の凹部を含み、この凹部は延長壁の前端部１５において開口している。この凹部は、各延長壁の湾曲部１７により構成されるが、他の設計を用いて同様の構造物を形成することができる。（図４では、孔１１、開口部１３、および湾曲部１７を有する延長壁の一方のみ図示している。）
第１のケーシング部１は、その外側部分に沿って延びる肩部１９を有しており、２つのケーシング部を合体するように力を加え、とりわけ突起部７が対応する孔１１に係入するように、肩部は開口部１３に挿入された梃子棒（例えばスクリュドライバなど）と係合できるように構成されている。こうして、各開口部または選択された開口部の中に梃子棒を順次挿入して、第１および第２のケーシング部を互いに対して押し込むことにより、各突起部７を対応する孔１１に係合させることができる。
封止具を開ける必要がある場合、スクリュドライバまたは梃子棒を延長壁９の前端部１５にある凹部の開口端を介して各開口部１３に挿入してもよく、第１のケーシング部から水平方向に離れるように延長壁に力を加え、各突起部７を対応する孔１１から外すことができる。
第１のケーシング部１の各縁部５は、対向する縁部５，５’の間を封止するシール部材を収容するための長手溝２０を有する。弾性を有するシール部材を用いた場合、こうした弾性は、梃子棒で孔に対する突起部の係合を解除したとき、通常、第１および第２のケーシング部が離間するように力を加えることにより第１および第２のケーシング部の分離を支援する。
同様に、図面において、ケーブルの周囲を封止するシール材（例えばゲルシーラント）を含む、ケーブルポート２１とキャビティ２３がケーシング部の両端に図示されている。
【図１】
0004089757.tif 000002
【図２】
0004089757.tif 000003
【図３】
0004089757.tif 000004
【図４】
0004089757.tif 000005